(57)【要約】【課題】  受信中の番組の付加情報を簡単な操作で、その番組の印象や評価などと一緒に記録・保存できるようにする。【解決手段】  受信回路１０と、不揮発性メモリ２４と、ブックマークキー３２Ａ〜３２Ｅと、制御回路２０とを設ける。制御回路２０は、ブックマークキー３２Ａ〜３２Ｅのうちの１つがユーザにより操作されたとき、受信回路１０が受信中の番組を識別する番組識別情報と、番組と同時に送られてくる付加情報と、時刻情報と、操作されたブックマークキー３２Ａ〜３２Ｅを示す情報とを１組のログデータとして不揮発性メモリ２４に記憶する。【選択図】  図１
2008211307.tif 000002
【特許請求の範囲】
【請求項１】
受信回路と、
記憶手段と、
複数の操作手段と、
制御回路と
を有し、
上記制御回路は、
上記複数の操作手段のうちの１つがユーザにより操作されたとき、上記受信回路が受信中の番組を識別する番組識別情報と、上記番組と同時に送られてくる付加情報と、時刻情報と、上記操作された操作手段を示す情報とを１組のログデータとして上記記憶手段に記憶する
ようにした受信機。
【請求項２】
請求項１に記載の受信機において、
表示手段を有し、
上記操作手段により所定の操作をしたとき、上記記憶手段に記憶された情報を上記表示手段に表示する
ようにした受信機。
【請求項３】
請求項２１に記載の受信機において、
上記記憶手段に記憶した各組のログデータを、上記番組識別情報、上記付加情報、上記時刻情報および上記操作手段を示す情報のいずれかについて並び替え、
その並び替えた結果を上記表示手段に表示する
ようにした受信機。
【請求項４】
請求項１に記載の受信機において、
上記記憶手段に記憶した各組のログデータの中から選択された情報と、現在放送中の付加情報とを比較し、
その比較結果を通知する
ようにした受信機。
【請求項５】
請求項１に記載の受信機において、
上記複数の操作手段として、上記受信中の番組の評価あるいは印象を指示する操作手段を有する
ようにした受信機。
【発明の詳細な説明】
【技術分野】
【０００１】
この発明は受信機に関する。
【背景技術】
【０００２】
例えば、デジタルラジオ放送においては、多重放送が行われ、本来の音声放送に対して、チャンネルごとに各種の付加情報が送信されている。例えば、楽曲の放送であれば、付加情報として、サービスＩＤ、アーティスト名、曲名、カテゴリ名、テキスト情報などが送信されている。したがって、これらの付加情報を表示できるようにしておけば、放送中の番組について情報を容易に知ることができ、資料とすることができる。
【０００３】
なお、先行技術文献として例えば以下のものがある。
【特許文献１】特開２００２−１９８８４０号公報
【発明の開示】
【発明が解決しようとする課題】
【０００４】
ところが、一般のデジタルラジオ放送の受信機は、それらの付加情報の表示を考慮した受信機であっても、その付加情報を記録したり、記録した付加情報を参照したりする機能を持っていない。もちろん、その選局時のユーザ記録データを合わせて記録する機能も持っていない。このため、それらの付加情報を利用するには、別途メモをとる必要がある。しかし、車載用の受信機で放送を聞いている場合には、メモをとることが非常に困難である。
【０００５】
また、送信されてきた付加情報が選局情報の場合には、メモをとるだけでなく、そのメモにしたがって手動により選局の操作を行う必要がある。さらに、現在聞いている放送に対する印象・評価を加えて記録することもできない。
【０００６】
この発明は、以上のような問題点を解決しようとするものである。
【課題を解決するための手段】
【０００７】
この発明においては、
受信回路と、
記憶手段と、
複数の操作手段と、
制御回路と
を有し、
上記制御回路は、
上記複数の操作手段のうちの１つがユーザにより操作されたとき、上記受信回路が受信中の番組を識別する番組識別情報と、上記番組と同時に送られてくる付加情報と、時刻情報と、上記操作された操作手段を示す情報とを１組のログデータとして上記記憶手段に記憶する
ようにした受信機
とするものである。
【発明の効果】
【０００８】
この発明によれば、ブックマーク専用の操作手段を設けることにより、多重放送における付加情報を容易に記録することができる。また、受信している番組に対するユーザの印象や評価を番組の付加情報と同時に記録することができ、ユーザの意図を反映した分類を行うことができる。しかも、印象や評価に対する処理は、対応するブックマーク用の操作手段を操作するだけであり、簡単である。
【発明を実施するための最良の形態】
【０００９】
〔１〕  構成例
図１は、この発明を適用した受信機の一例を示す。すなわち、符号１０は、その受信回路を示し、デジタルラジオ放送がアンテナ１１により受信され、その受信信号がチューナ回路１２に供給されて目的とするチャンネルのベースバンド信号が取り出されるとともに、この信号が復調回路１３に供給されてトランスポートストリームに復調され、このトランスポートストリームがＴＳデコーダ回路１４に供給されて音声データと表示用および制御用のデータとに分離される。
【００１０】
そして、この分離された音声データが音声デコーダ回路１５に供給されてもとのデジタルオーディオデータにデコードされ、このデジタルオーディオデータがＤ／Ａコンバータ回路１６に供給されてアナログのオーディオ信号Ｌ、ＲにＤ／Ａ変換され、これら信号Ｌ、Ｒがアンプ１７Ｌ、１７Ｒを通じて左および右チャンネルのスピーカ１８Ｌ、１８Ｒに供給される。
【００１１】
また、システム制御回路２０がマイクロコンピュータにより構成される。すなわち、システム制御回路２０は、プログラムを実行するＣＰＵ２１と、各種のプログラムの書き込まれたＲＯＭ２２と、ワークエリア用のＲＡＭ２３、データ保存用の不揮発性メモリ２４を有し、これらメモリ２２〜２４は内部バス２９を通じてＣＰＵ２１に接続されている。さらに、システム制御回路２０は表示制御回路２５を有し、これも内部バス２９に接続されている。
【００１２】
この場合、ＲＯＭ２２には、これに書き込まれているプログラムの一部として、例えば図４〜図７に示すようなルーチン１００〜４００を有する。これらのルーチン１００〜４００の詳細については後述するが、図４〜図７においては、ルーチン２００〜４００は、この発明に関係する部分だけを抜粋して示している。また、不揮発性メモリ２４は、例えば、着脱自在なメモリカードやＵＳＢメモリとされ、パーソナルコンピュータに接続したとき、保存している内容を利用できるようにされている。
【００１３】
そして、回路１２〜１５とシステム制御回路２０とが、システムバス１９を通じて接続され、回路１２〜１５がシステム制御回路２０によりそれぞれ制御されるとともに、その制御に必要な信号が回路１２〜１５からシステム制御回路２０に供給される。この場合、ＴＳデコーダ回路１４からは、これにより分離された表示用および制御用データがシステム制御回路２０に供給される。
【００１４】
さらに、システム制御回路２０には、各種の操作キー３１が接続されるとともに、例えば５つのブックマークキー３２Ａ〜３２Ｅが接続される。このブックマークキー３２Ａ〜３２Ｅは、番組を聞いている場合にその付加情報を記録・保存するときに操作するものである。この場合、ブックマークキー３２Ａ〜３２Ｅは、これを操作するときに聞いていた番組から受けた印象や評価などにしたがって、選択して操作するものである。
【００１５】
このため、ブックマークキー３２Ａ〜３２Ｅのキートップには、例えば、○、♪、！、＄、×の記号がそれぞれ付されている。例えば、音楽を聞いているときに、その付加情報を記録・保存するのであれば、♪キー３２Ｂを押す。
【００１６】
さらに、システム制御回路２０には、各種の操作キー３１が接続されるとともに、例えば５つのブックマークキー３２Ａ〜３２Ｅが接続される。このブックマークキー３２Ａ〜３２Ｅのキートップには、例えば、○、♪、！、＄、×の記号がそれぞれ付されている。このブックマークキー３２Ａ〜３２Ｅは、番組を聞いている場合にその付加情報を記録・保存するときに操作するものであり、その番組に対する印象や評価なども記録・保存するためのキーである。したがって、例えば、音楽を聞いているときに、その付加情報を記録・保存するのであれば、♪キー３２Ｂを押す。
【００１７】
また、システム制御回路２０は、その表示制御回路２５に表示素子として例えばＬＣＤ３３が接続されている。このＬＣＤ３３は、例えば図２に示すように、ドットの組み合わせにより、文字、数字、記号を16字×２行にわたって表示できるものである。
【００１８】
このような構成によれば、任意のデジタルラジオ放送を選局している状態では、上記のように、ＴＳデコーダ回路１４により音声データと表示用および制御用のデータとが分離され、その音声データに基づくアナログオーディオ信号Ｌ、Ｒがスピーカ１８Ｌ、１８Ｒに供給され、音響として出力される。
【００１９】
また、このとき、ＴＳデコーダ回路１４から出力される表示用および制御用のデータがシステム制御回路２０に取り込まれて表示用のデータに変換され、この表示用のデータがＬＣＤ３３に供給される。こうして、このときスピーカ１８Ｌ、１８Ｒから出力されている音響に関するデータがＬＣＤ３３に表示される。
【００２０】
〔２〕  ブックマーク（付加情報の収集）
任意の放送（番組）を受信しているとき、ブックマークボタン３２Ａ〜３２Ｅのうちのいずれかのキー３２ｉ（ｉ＝Ａ〜Ｅのどれか）を押すと、ＣＰＵ２１の処理がルーチン１００のステップ１０１からスタートし、次にステップ１０２において、このとき受信中の放送の付加情報が取得され、ステップ１０３において、このルーチン１００がスタートしたときに押されたブックマークキー３２ｉが判別される。
【００２１】
続いて、ステップ１０４において、例えば図３に示すように、ステップ１０２により取得された付加情報（項目１〜８）と、ステップ１０３により判別されたブックマークキー３２ｉの情報（項目９）とを１組とし、この１組が１件のログデータLOGとされる。つまり、カード型データベースにおける１枚のカードに相当する形式にデータ化されるものであり、この例においては、
項目１：このデータが作成された時刻（時刻情報）
項目２：受信した放送のサービスＩＤ（番組識別情報）
項目３：受信した放送局名
項目４：受信した番組名
項目５：受信した番組のカテゴリ
項目６：曲名（音楽を受信していた場合）
項目７：アーティスト名（音楽を受信していた場合）
項目８：その他の付随するテキスト情報
項目９：ブックマークキー３２ｉを識別する情報
とされている場合である。  
なお、後述から明らかになるが、項目９の情報は、該当する番組に対するリスナの印象や評価などを示す情報でもある。
【００２２】
次にステップ１０５において、ステップ１０４により構成されたログデータLOG（図３）が、不揮発性メモリ２４に追加保存され、その後、ステップ１０６によりルーチン１００を終了する。
【００２３】
したがって、例えば音楽が放送されているときに、ブックマークキー３２Ａ〜３２Ｅのうち、♪マークのキー３２Ｂを押すと、その音楽（楽曲）の付加情報が図３に示すように１件のログデータLOGとして不揮発性メモリ２４に保存されるとともに、その付加情報を保存するために操作したブックマークキー３２Ｂを示す情報が、そのログデータLOGに付加されていることになる。
【００２４】
こうして、番組が放送されているとき、ブックマークキー３２Ａ〜３２Ｅのうち、その放送されている番組から受けた印象に関連するブックマークキー３２ｉを押すと、その番組の付加情報と、その番組から受けた印象のブックマークキー３２ｉとが１件のログデータLOGとして不揮発性メモリ２４に順に保存されていくことになる。
【００２５】
なお、ログデータLOGは、１件分ごとに１つのファイルでもよく、あるいは複数のログデータLOGが１件分ごとに所定の制御コードで区切られたファイル、例えばＣＳＶファイルであってもよい。
【００２６】
そして、このように番組の付加情報を記録するとき、その番組から受けた印象のブックマークが項目９として一体に記録されるので、検索や表示などを行うとき、目的とする付加情報を容易に見つけることができる。
【００２７】
〔３〕  メニューの表示
上述の〔２〕により収集したログデータLOGは、例えば以下のようにして表示や検索などを行うことができる。すなわち、操作キー３１のうちのメニューキーを押すと、メニューモードとなり、例えば図２に示すように、ＬＣＤ３３にはメニューの項目のうち２つが１行ずつ表示される。そこで、操作キー３１のうちの上方向あるいは下方向の移動キーを操作すると、その表示内容（メニュー項目）が上方向あるいは下方向にスクロールされる。
【００２８】
そして、例えば［表示］のメニュー項目にカーソルを表示させた状態で、操作キー３１のうちの実行キーを押すと、表示モードに遷移する。同様に、目的とするメニュー項目にカーソルを表示させて実行キーを押すと、その表示させたメニュー項目のモードに遷移する。
【００２９】
〔４〕  各モードの処理内容
〔４−１〕  表示モードのとき
メニューモードから表示モードを選択すると、不揮発性メモリ２４に保存されているログデータLOGがＬＣＤ３３に表示される。この場合、操作キー３１のうち、上方向あるいは下方向の移動キーを押すと、１件のログデータLOGの内容が上方向あるいは下方向にスクロールされ、その内容をすべて見ることができる。また、操作キー３１のうち、左方向あるいは右方向の移動キーを押すと、１件ごとにログデータLOGが切り換えられていく。
【００３０】
こうして、不揮発性メモリ２４に保存された複数のログデータLOGのうちの任意のログデータLOGを見ることができる。
【００３１】
〔４−２〕  検索モードのとき
メニューモードから検索モードを選択すると、ブックマークキー３２Ａ〜３２Ｅの選択待ちとなる。そこで、ブックマークキー３２Ａ〜３２Ｅのうち、例えば♪キー３２Ｂを押すと、不揮発性メモリ２４に保存されているログデータLOGのうち、項目９に♪キー３２Ｂが登録されているログデータLOGが選択される。
【００３２】
すなわち、ブックマークキー３２ｉを押すと、不揮発性メモリ２４に保存されているログデータLOGのうち、ログデータLOGの項目９の情報を参照することにより、そのブックマークキー３２ｉの情報を有するログデータLOGが選択される。そして、以後、この選択されたログデータLOGに対して〔４−１〕が実行され、押されたブックマークキー３２ｉに対応する情報のログデータLOGを見ることができる。
【００３３】
〔４−３〕  ソートモードのとき
メニューモードからソートモードを選択すると、ＣＰＵ２１の処理がルーチン２００のステップ２０１からスタートし、次にステップ２０２において、ログデータLOGの項目１〜９のうち、並び替える項目の選択待ちとなる。この選択待ちに対する入力は、例えば、〔３〕のメニューから項目を選択した場合と同様の方法で実現できる。また、ブックマークキー３２ｉを押したときには、ログデータLOGの項目９の情報を参照することにより、その押されたブックマークキー３２ｉに対応する情報を並び替えの項目に選択できる。
【００３４】
そして、並び替える項目が選択されると、処理はステップ２０３に進み、このステップ２０３において、ステップ２０２により選択された項目をタグとしてログデータLOGの並び替えが実行される。この並び替えは、一般的なデータベースと同様に行うことができ、項目１は時刻順で、他の項目は文字コード順などとすることができる。
【００３５】
次にステップ２０４において、上記〔４−１〕の表示モードに遷移し、ステップ２０３の並び替え結果に対して表示を実行できる状態となる。そして、その表示を終了すると、ルーチン２００はステップ２０５により終了し、メニューモードに戻る。
【００３６】
〔４−４〕  ブックマークしたログデータからの選局モード
デジタル放送は、現在受信している番組と同時に放送されている他の番組の付帯情報を参照できるようにしている場合が多い。この例においては、そのような場合をも考慮したものである。
【００３７】
〔４−４−１〕  ログデータからの選局モード（その１）
これは、ログデータLOGの情報をキーワードとして現在放送中の番組を検索するモードである。すなわち、メニューモードからこの選局モードを選択すると、ＣＰＵ２１の処理がルーチン３００のステップ３０１からスタートし、次にステップ３０２において、不揮発性メモリ２４に保存しておいたデータログLOGに対して検索の対象とする項目（項目１〜９）の選択待ちとなる。
【００３８】
そして、項目が選択されると、例えば項目４が選択されると、処理はステップ３１１に進み、このステップ３１１において、次の番組における情報が検索され、次にステップ３１２において、ステップ３１１により検索された付加情報に、ステップ３０２により選択した項目の情報、今の場合、項目４の情報が含まれているか否かが判別される。そして、含まれていない場合には、処理はステップ３１２からステップ３１３に進み、すべての番組に対してこのルーチン３００が実行されたか否か判別され、すべての番組に対して実行されていないときには、処理はステップ３１３からステップ３１２に戻る。こうして、ステップ３０２により選択した項目の情報が含まれている番組が検索される。
【００３９】
そして、ステップ３１１により検索された付加情報に、ステップ３０２により選択した項目の情報が含まれている場合には、処理はステップ３１２からステップ３２１に進み、このステップ３２１において、ステップ３０２により選択した項目の番組が放送されていることがＬＣＤ３３に表示され、その後、ステップ３２２によりルーチン３００を終了する。
【００４０】
なお、ステップ３１３において、すべての番組に対してこのルーチン３００が実行されたことが判別されたときには、処理はステップ３１３からステップ３２２に進み、このルーチン３００を終了する。
【００４１】
したがって、この〔４−４−１〕によれば、不揮発性メモリ２４に保存しておいた番組に関連した番組、すなわち、ステップ３０２により選択した項目の番組が放送されているとき、これを知ることができる。
【００４２】
〔４−４−２〕  ログデータからの選局モード（その２）
これは、ログデータLOGの情報をキーワードとして該当する番組が見つかるまで検索を繰り返すモードである。すなわち、メニューモードからこの選局モードを選択すると、ＣＰＵ２１の処理がルーチン４００のステップ４０１からスタートし、次にステップ４０２において、不揮発性メモリ２４に保存しておいたデータログLOGから検索の対象とする項目の選択待ちとなる。
【００４３】
そして、項目が選択されると、例えば項目４が選択されると、処理はステップ４１１に進み、このステップ４１１において、次の番組が検索され、次にステップ４１２において、ステップ４１１により検索された付加情報に、ステップ４０２により選択した項目の情報、今の場合、項目４の情報が含まれているか否かが判別される。
【００４４】
この判別の結果、該当する情報が含まれていない場合には、処理はステップ４１２からステップ４１３に進み、このステップ４１３において、検索を中止するか否かの問い合わせが行われる。そして、操作キー３１のうちの続行キーを押すと、処理はステップ４１３からステップ４１２に戻る。こうして、番組が検索されるとともに、番組ごとに次の番組に対する検索の可否が問い合わせられる。
【００４５】
一方、ステップ４１１により検索された付加情報に、ステップ４０２により選択した項目の情報が含まれている場合には、処理はステップ４１２からステップ４２１に進み、このステップ４２１において、ステップ４０２により選択した項目の番組が放送されていることがＬＣＤ３３に表示され、その後、ステップ４２２によりルーチン４００を終了する。
【００４６】
なお、ステップ４１３において、操作キー３１のうちのキャンセルキーを押すと、処理はステップ４１３からステップ４２２に進み、このルーチン３００を終了する。
【００４７】
したがって、この〔４−５〕によれば、不揮発性メモリ２４に保存しておいた番組に関連した番組、すなわち、ステップ４０２により選択した項目の番組を容易に選択することができる。
【００４８】
〔５〕  まとめ
上述の受信機によれば、ブックマーク専用の操作キー３２Ａ〜３２Ｅを設けることにより、多重放送における付加情報を容易に記録することができる。例えば、受信機がポータブル機であって歩行中に放送を聞いている場合、あるいは車載機であって運転中の場合などのように、メモをとることができないような場合、曲名、アーティスト名、付随するテキスト情報などを、表示装置を見ることなく、まとめて記録しておくことができ、後で参照することができる。
【００４９】
また、ブックマークキー３２ｉを押すだけで、聞いている番組に対するユーザの印象や評価などを、番組の付加情報と同時に記録することができるので、ユーザの意図を反映した分類を行うことができ、例えば気に入った楽曲だけが含まれるデータをログデータLOGの中から選択して参照することもできる。しかも、印象や評価に対する処理は、対応するブックマークキー３２ｉを押すだけであるから、操作が簡単である。
【００５０】
さらに、上述の受信機によれば、ルーチン３００を用意する事により、なんら現在の放送の聴取を妨げることなく、所望の付加情報を有する番組を選択することができる。また、ルーチン４００を用意することにより、なんら現在の放送の聴取を妨げることなく、所望の付加情報が得られるまで待ち受けすることのできる受信機が実現できる。
【００５１】
〔略語の一覧〕
ＣＰＵ：Central Processing Unit
ＣＳＶ：Comma Separated Value
Ｄ／Ａ：Digital to Analog
ＩＤ  ：IDentification
ＬＣＤ：Liquid Crystal Display
ＲＡＭ：Random Access Memory
ＲＯＭ：Read Only Memory
ＴＳ  ：Transport Stream
ＵＳＢ：Universal Serial Bus
【図面の簡単な説明】
【００５２】
【図１】この発明の一形態を示す系統図である。
【図２】表示素子の一例およびその表示例を示す正面図である。
【図３】ログデータの内容の一例を示す図である。
【図４】この発明の一形態を示すフローチャートである。
【図５】この発明の他の形態を示すフローチャートである。
【図６】この発明の他の形態を示すフローチャートである。
【図７】この発明の他の形態を示すフローチャートである。
【符号の説明】
【００５３】
１０…受信回路、１２…チューナ回路、１３…復調回路、１４…ＴＳデコーダ回路、１５…音声デコーダ回路、１６…Ｄ／Ａコンバータ回路、１８Ｌおよび１８Ｒ…スピーカ、２０…システム制御回路、２１…ＣＰＵ、２２…ＲＯＭ、２３…ＲＡＭ、２４…不揮発性メモリ、２５…表示制御回路、３１…操作キー、３２Ａ〜３２Ｅ…ブックマークキー、３３…表示素子
【図１】
2008211307.tif 000003
【図２】
2008211307.tif 000004
【図３】
2008211307.tif 000005
【図４】
2008211307.tif 000006
【図５】
2008211307.tif 000007
【図６】
2008211307.tif 000008
【図７】
2008211307.tif 000009